(57)【要約】【課題】ユーザーの生体情報に基づき、ユーザーの希望する心身状態を維持させることが可能な送風機及びこれを用いた空気調和機を提供する。【解決手段】送風ファン１６と、ユーザーの生体情報を検出する生体情報検出部８と、生体情報検出部８で検出された生体情報に基づいてユーザーの心身状態を識別する心身状態識別部９と、心身状態識別部９の識別結果に基づいて送風ファン１６からの風の風向及び風速を制御する送風制御部１１とを備えた。【選択図】図１
2015152177.tif 000002
【特許請求の範囲】
【請求項１】
送風ファンと、
ユーザーの生体情報を検出する生体情報検出部と、
前記生体情報検出部で検出された前記生体情報に基づいて前記ユーザーの心身状態を識別する心身状態識別部と、
前記心身状態識別部の識別結果に基づいて前記送風ファンからの風の風向及び風速を制御する送風制御部と
を備えたことを特徴とする送風機。
【請求項２】
前記送風制御部は、前記心身状態識別部で識別された現在の心身状態が、予め設定された希望の状態ではない場合、前記ユーザーの特定の部位に送風されるように前記送風ファンの風向を制御する
ことを特徴とする請求項１記載の送風機。
【請求項３】
前記送風制御部は、前記ユーザーの前記特定の部位に送風されるように前記送風ファンの風向を制御するにあたり、予め設定した風速変動となるように前記送風ファンの風速を制御する
ことを特徴とする請求項２記載の送風機。
【請求項４】
前記送風制御部は、前記心身状態識別部で識別された現在の心身状態が、集中力の低下状態、ストレス増加状態にあり、前記希望の状態ではない場合、前記特定の部位として顔に送風する
ことを特徴とする請求項２又は請求項３記載の送風機。
【請求項５】
前記送風制御部は、前記心身状態識別部で識別された現在の心身状態が、予め設定された希望の状態ではない場合、風向及び風速の制御に連動して音を発生させる
ことを特徴とする請求項１〜請求項４の何れか一項に記載の送風機。
【請求項６】
前記音は、擬似送風音である
ことを特徴とする請求項５記載の送風機。
【請求項７】
前記送風制御部は、携帯端末から前記音を発生させる
ことを特徴とする請求項６記載の送風機。
【請求項８】
前記生体情報検出部は、熱情報を検出するセンサ、位置情報を検出するセンサ、画像を検出するセンサの少なくとも一つで構成される人体センサで得られた情報に基づいて、前記生体情報を検出する
ことを特徴とする請求項１〜請求項７の何れか一項に記載の送風機。
【請求項９】
前記生体情報検出部は、前記生体情報として、体表面温度と、目の瞬き及び瞳孔の大きさを含む目の状況と、のうちの少なくとも一方を検出する
ことを特徴とする請求項１〜請求項８の何れか一項に記載の送風機。
【請求項１０】
請求項１〜請求項９の何れか一項に記載の送風機を備えたことを特徴とする空気調和機。
【発明の詳細な説明】
【技術分野】
【０００１】
この発明は、送風機及びこれを用いた空気調和機に関するものである。
【背景技術】
【０００２】
従来より、非接触でユーザーの生体情報を検出し、生体情報に基づいてユーザーの睡眠深度を判定して空気調和機の制御に利用する空気調和機がある（例えば、特許文献１参照）。また、ユーザーに接触して生体情報を検出し、ユーザーの身体状態に適合した環境となるように送風ファンを制御する空調装置がある（例えば、特許文献２参照）。
【先行技術文献】
【特許文献】
【０００３】
【特許文献１】特開２０１１−１５８８７号公報（実施の形態６）
【特許文献２】特開２００４−１２５３７６号公報（要約）
【発明の概要】
【発明が解決しようとする課題】
【０００４】
特許文献１では、生体情報に基づいてユーザーの心身状態を検出する点について何ら検討されていない。このためユーザーの心身状態を、ユーザー自身の希望する状態に維持させるように空気調和機を制御することについて全く想定されていない。
【０００５】
特許文献２では、身体状態やストレス等の心身状態に基づいて空気調和機の送風ファンを制御する点について記載されているものの、風量を具体的にどのように制御するかについて十分に検討されているとは言えず、改善の余地があった。また、風向については、ユーザーの生体情報に基づいて制御する点が記載されているに過ぎず、心身状態に応じた風向制御は検討されていない。
【０００６】
この発明は、上述の課題を解決するためになされたもので、ユーザーの生体情報に基づき、ユーザーをユーザー自身の希望する心身状態に維持させることが可能な送風機及びこれを備えた空気調和機を得ることを目的とする。
【課題を解決するための手段】
【０００７】
この発明に係る送風機は、送風ファンと、ユーザーの生体情報を検出する生体情報検出部と、生体情報検出部で検出された生体情報に基づいてユーザーの心身状態を識別する心身状態識別部と、心身状態識別部の識別結果に基づいて送風ファンからの風の風向及び風速を制御する送風制御部とを備えたものである。
【０００８】
また、この発明に係る空気調和機は、上記送風機を備えたものである。
【発明の効果】
【０００９】
この発明によれば、ユーザーをユーザー自身の希望する心身状態に維持させることが可能である。
【図面の簡単な説明】
【００１０】
【図１】この発明の実施の形態１における送風機の構成例を示すブロック図である。
【図２】この発明の実施の形態１における送風機を備えた空気調和機の正面斜視図である。
【図３】この発明の実施の形態１における送風機を備えた空気調和機の動作を示すフローチャートである。
【図４】この発明の実施の形態１における送風機のファン回転数の時間変化を説明するための図である。
【図５】この発明の実施の形態１における送風機からの風速の変動を示す図である。
【図６】この発明の実施の形態２における送風機の構成例を示すブロック図である。
【図７】この発明の実施の形態２における送風機を備えた空気調和機の動作を示すフローチャートである。
【発明を実施するための形態】
【００１１】
この発明を実施するための形態について添付の図面に従って説明する。なお、各図中、同一又は相当する部分には同一の符号を付す。
【００１２】
実施の形態１．
図１は、この発明の実施の形態１における送風機の構成例を示すブロック図である。
【００１３】
図１において、送風機１００は、室内環境センサ１と、人体センサ２と、送風ファン１６と、風向板１８と、送風機１００全体を制御する制御装置１５とを備えている。
【００１４】
室内環境センサ１は、室内環境をセンシングするセンサであり、室内の温度、湿度を検出する温度センサ、湿度センサが用いられる。
【００１５】
人体センサ２には、赤外線等の熱情報を検出するセンサ、超音波等の位置情報を検出するセンサ、カメラ等の画像を検出するセンサ等が用いられる。人体センサ２は、これらのうちの少なくとも一つで構成されればよく、複数を組み合わせて構成してもよい。
【００１６】
赤外線等の熱情報を検出するセンサは、縦方向に並べた複数のサーモパイルを横方向に動かしてスキャニングする機能を備える。超音波等の位置情報を検出するセンサは、同様に横方向に動かしてスキャニングする機能を備える。
【００１７】
制御装置１５は、例えばマイクロコンピュータで構成され、ＣＰＵ、ＲＡＭ及びＲＯＭ等を備えている。制御装置１５には室内環境センサ１及び人体センサ２が接続されており、これらから検出信号が入力されるようになっている。また、制御装置１５には送風ファン１６のファンモータ１７及び風向板１８の風向板モータが接続され、室内環境センサ１及び人体センサ２からの検出信号に基づいて、これらの各モータを制御できるようになっている。
【００１８】
次に、制御装置１５の機能的な構成について説明する。制御装置１５は、室内環境判定部３と、人体位置検出部５と、身体部位判定部６と、生体情報検出部８と、心身状態識別部９と、送風制御部１１と、ファンモータ制御部１２と、風向板制御部１３とを備えている。また、制御装置１５は、判定テーブル４、７、１０と、送風制御知識部１４とを備えている。
【００１９】
室内環境判定部３は、室内環境センサ１で得られた室内の温度、湿度等の情報を基に判定テーブル４に記憶されたデータから室内の環境状況を判定する。
【００２０】
人体位置検出部５は、人体センサ２で得られた情報を基に人体の有無を判別すると共に、人体が存在する場合にはその位置を検出する。具体的には、人体位置検出部５は、人体センサ２が赤外線等の熱情報を検出するセンサである場合、上述のスキャニング機能により得られた複数の熱画像に基づいて人体の存在有無を検出する。すなわち、人体位置検出部５は、複数の熱画像と予め取得した無人状態での背景熱画像との温度差から人体の存在有無を検出する。このように熱画像に基づいて人体を検出する場合は、肌を露出している人体ほど検出しやすい。また、画素数が多いほど検出精度が高い。画素数が多い場合、人体センサ２は、人体の位置と体の部位、送風機１００から人体までの距離を明確に把握する。例えば、７００画素もあれば、部屋内の人体の位置と体の部位、送風機１００から人体までの距離を把握できる。
【００２１】
また、人体位置検出部５は、人体センサ２をサーモパイル以外のものとしても人体の位置、部位を見分けることができる。例えば、人体位置検出部５をカメラ等の画素数の高いもので構成して人体の位置を見分けてもよい。また、検出精度は下がるが、フレネルレンズを用いた焦電センサを人体センサ２として用いて、人体の存在する領域又は人体の位置（横方向、奥行き方向）、体の部位を見分けてもよい。
【００２２】
また、人体位置検出部５は、人体センサ２が超音波等の位置情報を検出するセンサである場合、上述のスキャニング機能を用いて複数の物体との距離を取得することで室内に存在する人の他、物、間取り、ドア、窓等をセンシングする。そして、人体位置検出部５は、何がどこにあるかを検出し、送風機１００から人体までの距離を明確に把握する。
【００２３】
身体部位判定部６は、人体センサ２で得られた情報を基に判定テーブル７に記憶されたデータから、ユーザーの特定の部位を判定する。身体部位判定部６で得られる位置情報は、以下では「顔」の位置情報であるものとする。
【００２４】
生体情報検出部８は、人体センサ２で得られた情報を基に判定テーブル１０に記憶されたデータから、人体位置検出部５で検出されたユーザーの生体情報（例えば、体表面温度、目の状況（人の目の瞬き、瞳孔の大きさ等））を検出する。すなわち、生体情報検出部８は人体センサ２で得られた情報を基に、人体位置検出部５で検出されたユーザーの体表面温度を生体情報として検出する。また、人体センサ２としてカメラ等の画素数の高いものを使用したときは、生体情報検出部８は、人体位置検出部５で検出されたユーザーの目の状況（人の目の瞬き、瞳孔の大きさ等）を生体情報として検出することもできる。
【００２５】
心身状態識別部９は、生体情報検出部８で検出された生体情報を基に、判定テーブル１０に記憶されたデータからユーザーの心身状態を識別する。心身状態としては、例えば集中力がある状態であるか、ストレスがない状態であるか、が該当する。心身状態として、他に例えば、覚醒状態にあるか、緊張状態にあるか、等としてもよい。
【００２６】
心身状態識別部９は、生体情報として得られた例えば体表面温度の変化により、人体位置検出部５で検出された人体の心身状態を識別する。具体的には例えば、心身状態識別部９は顔面部の表面温度が以前と比較して高くなってきた場合、集中力が低下、ストレスが増加してきていると判断する。一方、顔面部の表面温度が以前と比較して変化が見られない場合、心身状態識別部９は、集中力が持続、ストレスが少ないと判断する。
【００２７】
他に例えば、心身状態識別部９は、生体情報として得られた例えば目の状況に基づいて、心身状態を識別する。具体的には例えば、目の瞬きが以前と比較して多くなってきた場合や瞳孔の大きさに変化がない場合、心身状態識別部９は集中力が低下、ストレスが増加してきていると判断する。一方、以前と比較して目の瞬きに変化が見られない場合、心身状態識別部９は、集中力が持続、ストレスが少ないと判断する。
【００２８】
以上のようにして室内環境判定部３、人体位置検出部５、身体部位判定部６及び心身状態識別部９で得られた情報は送風制御部１１に出力される。
【００２９】
送風制御部１１は、心身状態識別部９の識別結果と送風制御知識部１４に記憶された後述の制御テーブルとに基づいて、ユーザーの心身状態が、予め設定した希望の状態を維持するようにファンモータ制御部１２及び風向板制御部１３を制御する。
【００３０】
送風制御知識部１４には、人体の心身状態と、その心身状態の時に実施する風条件データ（風速、風向及び風の広がりを設定したデータ）とが対応付けて記憶された制御テーブルが記憶されている。風条件データには、ファンモータ制御部１２及び風向板制御部１３のそれぞれの制御方法が設定されている。制御装置１５は、ユーザーの現在の心身状態が希望の状態である場合には、この制御テーブルを参照して、現在の心身状態を維持させるための風向板制御部１３及びファンモータ制御部１２のそれぞれの制御方法を決定し、実施する。また、制御装置１５は、ユーザーの現在の心身状態が希望の状態にない場合には、この制御テーブルを参照して、希望の状態へと変化させるための風向板制御部１３及びファンモータ制御部１２のそれぞれの制御方法を決定し、実施する。
【００３１】
以下では、希望の状態として、集中力がある状態、リラックスした状態となるようにファンモータ制御部１２及び風向板制御部１３を制御するものとして説明する。
【００３２】
図２は、この発明の実施の形態１における送風機を備えた空気調和機の正面斜視図である。
【００３３】
図２に示すように、空気調和機２００の本体（送風機本体）２０は、壁面に取り付けられる背面パネル２１と、背面パネル２１の前面に取り付けられた前面パネル２２とを有している。前面パネル２２の上面には空気吸込口２３が設けられ、前面パネル２２の下部には空気吹出口２４が設けられている。
【００３４】
前面パネル２２の下部の中央には、上述の室内環境センサ１及び人体センサ２が設けられている。室内環境センサ１及び人体センサ２は、空気調和機２００の左側もしくは右側端部に設けられる場合もある。
【００３５】
本体２０内において空気吸込口２３の下方には送風ファン１６（図１参照）が設けられ、また熱交換器（図示せず）が設けられている。送風ファン１６（図１参照）は、ファンモータ１７（図１参照）により回転駆動され得るように本体２０内に設けられる。
【００３６】
そして、空気吹出口２４には風向板１８として、上下方向の風向を制御する上下風向板１８ａ〜１８ｄ（以下、総称して上下風向板１８と称する場合がある）が配置されている。上下風向板１８は空気調和機２００の正面から見て長手方向（図２の左右方向）のほぼ中央において僅かな隙間を隔てて左右に配置され、その左右のそれぞれにおいて上下に２枚配置されている。また、上下風向板１８は断面が円弧状となるように形成されている。
【００３７】
空気吹出口２４の長手方向の中央部には、空気吹出口２４周囲の壁面から支持腕（図示せず）が延出されている。その支持腕には、上下２枚の上下風向板１８に対応して上下に２つの軸穴が設けられている。各上下風向板１８のそれぞれの長手方向の両端のうち、支持腕側の一端には、上記支持腕（図示せず）の軸穴にピンを介して回動自在に支持される支柱（図示せず）が設けられている。また、各上下風向板１８のそれぞれの長手方向の他端には、支持軸（図示せず）が設けられている。支持軸は、空気吹出口２４の左右側面の軸受（図示せず）に回動自在且つ着脱自在に支持されている。各上下風向板１８のそれぞれの支持軸は、風向板モータ１９の駆動により独立して回転する。これにより、各上下風向板１８が、それぞれ独立して回転する。
【００３８】
空気吹出口２４には更に、左右方向の風向を制御する左右風向板（図示せず）が、上下風向板１８の奥側に設けられる。左右風向板は、送風機１００の正面から見て長手方向（図２の左右方向）に、間隔を空けて複数配置される。
【００３９】
空気調和機２００は更に、設定温度、風向、風速を設定変更可能なリモコン２５を備えている。
【００４０】
ここで、この空気調和機２００は、例えばリモコン２５により、風向として「快適な風」を設定可能であり、この場合、上下風向板１８は以下のように制御される。すなわち、左側の上下風向板１８ａ、１８ｃは、一定角度で上方を向き、右側の上下風向板１８ｂ、１８ｄは一定角度で下方を向くように制御される。この場合、各上下風向板１８のそれぞれは互いに別角度となっており、空気調和機２００の左側の吹き出しは、吹き出し風が上下風向板１８ａ、１８ｃに沿って風路の上流側から下流側に向けて、徐々に拡大するように形成される。また、空気調和機２００の右側の吹き出しも、吹き出し風が上下風向板１８ｂ、１８ｄに沿って風路の上流側から下流側に向けて、徐々に拡大するように形成される。なお、ここでは、左側の上下風向板１８ａ、１８ｃが上方を向き、右側の上下風向板１８ｂ、１８ｄが下方を向くとしたが、左右で上下の向きが逆でも良い。また、左右の角度が時折、定期的もしくは不定期に入れ替わっても良い。
【００４１】
このように各上下風向板１８に一定の角度を設けることで、縦方向に幅をもった気流を生成することが可能となる。また、左右風向板から吹き出す気流を異なる角度で吹き出すので、互いの気流が誘引し合い、周囲の空気を巻き込みながら、縦長の気流を形成する。これにより、「快適な風」が設定された場合にはユーザーの身体の全体に送風することが可能となり、ユーザーは快適感を得ることができる。
【００４２】
図３は、この発明の実施の形態１における送風機を備えた空気調和機の動作を示すフローチャートである。以下、この発明の実施の形態１における空気調和機２００の動作の詳細を図３のフローチャートを参照して説明する。
【００４３】
まず、ユーザーにより電源がＯＮされると（図中スタート）、人体センサ２が稼動し、人体センサ２で得られた情報に基づいて人体位置検出部５はユーザーの位置を検出する（ＳＴＥＰ１）。また、生体情報検出部８は人体センサ２で得られた情報に基づいてユーザーの生体情報を取得する（ＳＴＥＰ２）。心身状態識別部９は、生体情報検出部８で得られた情報に基づいてユーザーの心身状態を識別する（ＳＴＥＰ３）。
【００４４】
送風制御部１１は、ＳＴＥＰ３で識別された現在の心身状態に基づいて送風制御知識部１４の制御テーブルを参照し、該当の制御方法で風向及び風速を制御する（ＳＴＥＰ４〜ＳＴＥＰ８）。具体的には、送風制御部１１は、現在の心身状態が希望の状態にあると判定した場合（ＳＴＥＰ４：ＹＥＳ）は、上下風向板１８及び左右風向板をユーザーが設定した角度で制御するように風向板制御部１３を制御する（ＳＴＥＰ５）。
【００４５】
空気調和機２００を稼動したときに、ユーザーは本体２０の操作部（図示せず）やリモコン２５等で風向（上下風向板１８及び左右風向板の角度）を設定できる。このため、現在の心身状態が希望の状態にある場合、送風制御部１１は、上下風向板１８及び左右風向板がユーザーの設定した角度で稼動されるように風向板モータ１９を制御する。また、リモコン２５等で設定可能な風向として、例えば「快適な風」を設定した場合、送風制御部１１は、上述したように上下風向板１８のそれぞれに一定の角度を設け、縦方向に幅をもった気流を生成する。これにより、ユーザーの身体の全体に送風することが可能となり、ユーザーは快適感を得ることができる。
【００４６】
また、送風制御部１１は、ユーザーが設定した風速となるようにファンモータ制御部１２に指示してファンモータ１７の入力を制御する（ＳＴＥＰ６）。送風機１００を稼動したときに、ユーザーは本体２０の操作部やリモコン２５等で風速を設定できる。このため、現在の心身状態が希望の状態にある場合、送風制御部１１は、ユーザーが設定したその風速となるようにファンモータ１７を稼動する。
【００４７】
一方、送風制御部１１は、現在の心身状態が希望の状態でないと判定した場合（ＳＴＥＰ４：ＮＯ）、心身状態が希望の状態（集中力がある状態、ストレスがない状態）となるように風向及び風速を制御する（ＳＴＥＰ７、ＳＴＥＰ８）。具体的には、送風制御部１１は、ユーザーの顔に風が当たるように上下風向板１８及び左右風向板の角度を設定して風向を制御する（ＳＴＥＰ７）。また、送風制御部１１は、ファンモータ制御部１２に指示してファンモータ１７の回転数を変化させ、風速を制御する（ＳＴＥＰ８）。
【００４８】
なお、身体の一部に集中して風が当たると、不快な気流感をユーザーに与える可能性があるが、ここでは、ファンモータ１７を以下のように制御することで、気流感を抑制し、ユーザーに不快感を与えないようにしている。具体的には、ファンモータ１７の回転数を次の図４に示すようにランダムに大小に変化させるようにしている。
【００４９】
図４は、この発明の実施の形態１における送風機のファン回転数の時間変化を説明するための図である。図４の横軸は時間（秒）、縦軸は回転数（ｒｐｍ）である。
図４に示すように、ファンモータ１７は、不規則な正弦波を合成した波に応じた周波数で回転する。当該回転数の波形は、平均周波数１Ｈｚ以下の中に、高周波を含む波形に対応する。高周波は、１分間に例えば１０から２０回程度の振動を繰り返すものである。
【００５０】
このようにファンモータ１７を制御することで、自然界により近い気流を発生させることができる点について、図５を用いて説明する。
【００５１】
図５は、この発明の実施の形態１における送風機からの風速の変動を示す図である。図５には、送風機１００から２．５ｍだけ離れた位置での吹き出し風の風速を計測した結果を示している。図５の横軸は時間（秒）、縦軸は風速（ｍ／ｓ）である。
【００５２】
図５に示すように、風速の変動は、図４のファンモータ１７の回転数の変化に追従する。その結果、当該風速の変動は、自然界の風速の変化に似たものとなる。
【００５３】
このように送風ファン１６の風速が変化することで、ユーザーの顔に自然界に近い気流が流れ、ユーザーの心身状態を、ユーザーの希望する状態となるように変化させることができる。
【００５４】
なお、図３のフローチャートには示していないが、送風制御部１１は室内環境判定部３で判定された現在の室内環境レベルも更に考慮してファンモータ制御部１２を制御するようにしてもよい。具体的には例えば、室内環境レベルの温度や湿度が高い場合には、送風制御部１１は、ファンモータ制御部１２に指示してファンモータ１７の回転数を全体的に高めに変化させ、風速を制御する。こうすることで、体感的に涼しさをより感じることが可能となる。
【００５５】
以上説明したように、この実施の形態１では、生体情報に基づいてユーザーの心身状態を識別し、ユーザーの心身状態に応じて送風ファン１６の風向及び風速を制御するようにしたので、ユーザーの希望する心身状態を維持することでき、ユーザーの快適性を向上できる。
【００５６】
また、生体情報を取得する人体センサ２に非接触センサを用いたため、生体情報を取得するにあたり、ユーザーにわずらわしさを与えることがない。なお、この効果に差異は生じるものの、この発明は生体情報取得センサに非接触センサを用いることに限定されず、接触センサを用いてもよい。
【００５７】
また、ユーザーの心身状態が希望の状態でない場合の風向及び風速の制御として、ユーザーの顔に向けて自然界により近い気流で送風するようにした。このため、ユーザーが不快に感じることなく、ユーザーの心身状態を希望する状態に変化させることができる。
【００５８】
なお、ユーザーの心身状態が希望の状態でない場合の風向を、ユーザーの顔としたが、顔に限られたものではなく、例えば上半身としてもよい。
【００５９】
なお、この実施の形態１では、室内環境センサ１及び人体センサ２を送風機１００に取り付けたが、送風機１００とは別体でも良く、例えば、壁に設置されたり、リモコン２５に設置されたりしても良い。
【００６０】
また、人体センサ２としてサーモパイルや焦電センサ等を用いた場合には、室内環境センサ１と人体センサ２とを兼用し、人体センサ２で室内の温度、湿度を測定してもよい。
【００６１】
また、現在のユーザーの心身状態、送風機１００の稼動状況をユーザーに知らせる表示部を例えばリモコン２５等に設けても良い。そうすることで、ユーザーは、現在の状況を的確に把握できる。
【００６２】
実施の形態２．
実施の形態１では、風向及び風速を制御してユーザーの心身状態が希望の状態となるようにしていた。実施の形態２では更に音を制御してユーザーの心身状態が希望の状態となるようにしたものである。
【００６３】
図６は、この発明の実施の形態２における送風機の構成例を示すブロック図である。図６において図１に示した実施の形態１と同一部分には同一符号を付す。以下、実施の形態２が実施の形態１と異なる部分を中心に説明する。
【００６４】
実施の形態２の送風機３００は、実施の形態１の送風機１００に加えて更に、スピーカー３０と、スピーカー３０に接続された擬似音制御部３１とを備えている。擬似音制御部３１は、送風機３００から発生する送風機音を擬似的に表現した擬似音（ユーザーに不快感を与えないような風の音）を生成し、スピーカー３０から出力させる。
【００６５】
図７は、この発明の実施の形態２における送風機を備えた空気調和機の動作を示すフローチャートである。図７において、図３のフローチャートと同一部分には同一ＳＴＥＰ番号を付す。
実施の形態２の送風機３００を備えた空気調和機２００においてＳＴＥＰ１〜ＳＴＥＰ８までの動作は実施の形態１と同様である。そして、送風機３００の送風制御部１１は、ＳＴＥＰ４で現在のユーザーの心身状態が希望の状態でないと判断した場合、ＳＴＥＰ７とＳＴＥＰ８の動作に加えてＳＴＥＰ９の動作を行う。すなわち、送風制御部１１は擬似音制御部３１に指示して、本体２０に取り付けられたスピーカー３０から擬似音を発生させる。
【００６６】
この擬似音により、ユーザーは、集中力が低下、ストレスが増加してきた場合に、不快感を得ず、集中力を持続し、ストレスを低下させることができる。
【００６７】
以上説明したようにこの実施の形態２では、実施の形態１と同様の効果が得られると共に、風向及び風速の変動に連動して擬似音を発することで、より速やかに、ユーザーを希望の状態に変化させる効果が期待できる。すなわち、ユーザーの集中力が低下、ストレスが増加してきた場合に、ユーザーに不快感を与えることなく、集中力を持続し、ストレスを低下させる状態にユーザーの状態を速やかに変化させることができる。
【００６８】
なお、上記では擬似音制御部３１を送風機３００の制御装置１５に設け、本体２０に取り付けたスピーカー３０から擬似音を発生させるようにしたが、これに限られたものではない。例えば、携帯端末の制御装置に擬似音制御部３１を設け、擬似音を発生させるための情報を無線等により携帯端末に送信し、携帯端末のスピーカーから擬似音を発生させるようにしてもよい。このように、携帯端末から擬似音を発生させるようにした場合、本体２０にスピーカー３０を取り付ける必要がなくなると同時に、携帯端末をユーザーが自分の近傍に置くことで、近くで擬似音を聞くことができ、より集中力の低下を抑制できる。なお、携帯端末には、例えば携帯電話、空気調和機２００のリモコン２５を使用できる。
【００６９】
また、この実施の形態２では、スピーカー３０から発生させる音に擬似送風音を用いたが、必ずしもこれに限らず、ユーザーの心身状態を希望の状態に変化させるにあたって効果的な音であればよい。
【産業上の利用可能性】
【００７０】
この発明に係る送風機及びこれを用いた空気調和機は、例えば、家庭のリビング、オフィス、店舗等に設置された各種空気調和装置、空気清浄機、送風機に搭載することができ、エレベータ、ダクト等にファンを設けることでも搭載することができる。
【符号の説明】
【００７１】
１  室内環境センサ、２  人体センサ、３  室内環境判定部、４  判定テーブル、５  人体位置検出部、６  身体部位判定部、７  判定テーブル、８  生体情報検出部、９  心身状態識別部、１０  判定テーブル、１１  送風制御部、１２  ファンモータ制御部、１３  風向板制御部、１４  送風制御知識部、１５  制御装置、１６  送風ファン、１７  ファンモータ、１８（１８ａ〜１８ｄ）  風向板（上下風向板）、１９  風向板モータ、２０  本体、２１  背面パネル、２２  前面パネル、２３  空気吸込口、２４  空気吹出口、２５  リモコン、３０  スピーカー、３１  擬似音制御部、１００  送風機、２００  空気調和機、３００  送風機。
【図１】
2015152177.tif 000003
【図２】
2015152177.tif 000004
【図３】
2015152177.tif 000005
【図４】
2015152177.tif 000006
【図５】
2015152177.tif 000007
【図６】
2015152177.tif 000008
【図７】
2015152177.tif 000009